(57)【特許請求の範囲】
【請求項１】
透液性表面シートと不透液性裏面シートとの間に、長手方向中間部が前後部の幅よりも狭く形成された吸収体が介在され、かつ表面側両側部にそれぞれ長手方向に沿ってサイド不織布を備えた生理用ナプキンにおいて、
前記各サイド不織布の内方縁を前記吸収体の側縁形状に合わせて、吸収体中間部では相対的に縦方向中心側寄り位置を通り、かつ吸収体前後部では相対的に生理用ナプキンの外側寄り位置を通るカーブ線を含む形状線とするとともに、前記吸収体の側部に、吸収体のほぼ全長に亘って、２〜８mmの幅でサイド不織布と吸収体との重なり代を持つことを特徴とする生理用ナプキン。
【請求項２】
少なくとも吸収体の長手方向中間部において、前記サイド不織布を吸収体配設領域の透液性表面シート面に対し実質的に接着せずに、該サイド不織布と吸収体との間に体液封じ込めポケットを形成した請求項１記載の生理用ナプキン。
【請求項３】
前記サイド不織布として撥水性を示す不織布を用いている請求項１、２いずれかに記載の生理用ナプキン。
【請求項４】
前記サイド不織布に代えて、防水フィルムを用いる請求項１〜３いずれかに記載の生理用ナプキン。
【発明の詳細な説明】
【０００１】
【発明の属する技術分野】
本発明は、経血やおりものなどを吸収するための生理用ナプキン、パンティライナー、おりものシート、失禁パッド等の吸収性物品に関する。
【０００２】
【従来の技術】
従来より、パンティライナー、生理用ナプキン、おりものシート、失禁パッドなどの吸収性物品としては、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
かかる吸収性物品においては、装着性および肌への感触性などを向上させながら、実用上の機能、すなわち体液漏れを確実に防止するために、幾多の改良が重ねられている。たとえば、図４に示される吸収性物品５０では、相対的に剛性の高い吸収体５１の側縁部が股間部に当たり、ゴワ付き感などを与えるのを防止するために、吸収体５１の中央部の幅を前後部よりも小さくして、ひょうたん形状とし、肌当接面の両側部にそれぞれ吸収体長手方向に沿って疎水性のサイド不織布５２を設け、吸収体５１に吸収された体液が側縁部まで達しても前記サイド不織布５２によって表面側への滲み出しを防止するとともに、肌に湿り感を与えないようにしている。
【０００４】
【発明が解決しようとする課題】
しかしながら、前記構造の吸収性物品５０の場合には、サイド不織布５２の内方縁５２ａは、吸収体５１の中央部において所定幅ｂ分だけ吸収体５１との重なりを確保した上で、長手方向に沿う直線形状としていたため、吸収体５１の前後部では前記サイド不織布５２によって吸収体５１を覆う面積が必然的に多くなり、吸収体５１の有効吸収面積が中央部より広いにも拘わらず、有効的に活用されていないなどの問題があった。
【０００５】
また、前記サイド不織布５２は、透液性表面シート５３面と完全に接合されているため、透液性表面シート５３の上面を伝わって流れた体液が前記サイド不織布５２を乗り越えて漏れ出すことがあったり、吸収体５１に吸収された体液が側縁部まで浸透し、着用者の各種動作によって吸収体５１に圧力が加わって体液の逆戻りがあった場合などに、前記体液がサイド不織布５２を乗り越えて漏れ出すことがあった。
【０００６】
そこで本発明の主たる課題は、表面側両側部にそれぞれ長手方向に沿ってサイド不織布を有する生理用ナプキンにおいて、吸収体の前端部において吸収体の有効面積を広く確保して前後部分からの漏れを防止するとともに、吸収体側部から横漏れを確実に防止することにある。
【０００７】
【課題を解決するための手段】
前記課題を解決するための本発明は、透液性表面シートと不透液性裏面シートとの間に、長手方向中間部が前後部の幅よりも狭く形成された吸収体が介在され、かつ表面側両側部にそれぞれ長手方向に沿ってサイド不織布を備えた生理用ナプキンにおいて、
前記各サイド不織布の内方縁を前記吸収体の側縁形状に合わせて、吸収体中間部では相対的に縦方向中心側寄り位置を通り、かつ吸収体前後部では相対的に生理用ナプキンの外側寄り位置を通るカーブ線を含む形状線とするとともに、前記吸収体の側部に、吸収体のほぼ全長に亘って、２〜８mmの幅でサイド不織布と吸収体との重なり代を持つことを特徴とするものである。
【０００８】
本発明においては、サイド不織布の内方縁を吸収体の側縁形状に合わせてカーブ線としたため、吸収体の前後部では吸収有効幅を広く確保できるようになり、前後部分からの漏れを確実に防止するようになる。
【０００９】
また、横漏れを確実に防止するには、少なくとも吸収体の長手方向中間部において、前記サイド不織布を吸収体配設領域の透液性表面シート面に対し実質的に接着せずに、該サイド不織布と吸収体との間に体液封じ込めポケットを形成することが望ましい。これにより、製品状態で前記サイド不織布はある程度の起立を示し、透液性表面シート上面を伝わって流れた体液があってもサイド不織布を乗り越えることが無くなるとともに、大量の体液が吸収され、圧力によって体液の逆戻りがあったとしても前記体液封じ込めポケット内に体液が保留されるため、横方向からの漏れ出しを確実に防止するようになる。前記サイド不織布としては、肌への湿り感を無くすために撥水性を示す不織布、具体的には撥水処理を施した不織布や防水フィルムを積層したラミネート不織布などが好適に用いられる。
また、前記サイド不織布に代えて防水フィルムを用いるようにしてもよい。
【００１０】
【発明の実施の形態】
以下、本発明の実施の形態について図面を参照しながら詳述する。
図１は本発明に係る生理用ナプキン１Ａの展開図であり、図２は図１のII−II線矢視図である。
【００１１】
前記生理用ナプキン１Ａは、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布６，６とから構成され、前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布６とがホットメルトなどの接着剤やヒートシール等の接着手段によって接合されている。
【００１２】
以下、さらに前記生理用ナプキン１Ａの構造について詳述すると、
前記不透液性裏面シート２は、ポリエチレンシートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００１３】
次いで、前記透液性表面シート３としては、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００１４】
前記透液性表面シート３に多数の透孔を形成した場合には、経血やおりもの等（以下、まとめて体液という。）が速やかに吸収されるようになり、ドライタッチ性に優れたものとなる。なお、この場合には本例のように、吸収体４を囲繞するクレープ紙５を設け、結果的に透液性表面シート３と吸収体４との間にクレープ紙５が介在するようにすれば、吸収性に優れる前記クレープ紙５によって体液を速やかに拡散させるとともに、これら経血等の逆戻りを防止するようになる。
前記透液性表面シート３面には、股間に沿った形状を保持するために内側に突出するサイドエンボス７，７が形成されている。
【００１５】
前記不透液性裏面シート２と透液性表面シート３との間に介在される吸収体４は、たとえばフラッフ状パルプと吸水ポリマーとより構成されている。前記吸水性ポリマーは吸収体を構成するパルプ中に例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００１６】
前記吸収体４は、図１の展開図に示されるように、股間部に対する当たりを和らげるために、長手方向中央部が前後部の幅よりも狭く形成された、所謂ひょうたん形状を成している。吸収体４の平面形状は、長手方向中央部が前後部の幅よりも狭く形成されておれば良く、この形状以外にたとえば砂時計形状等であってもよい。
【００１７】
前記透液性表面シート３の幅寸法は、図示例では、図１および図２の横断面図に示されるように、吸収体４の最大幅（前後部幅）よりも若干長めとされ、吸収体４を覆うだけに止まり、表面側両側部にはそれぞれサイド不織布６，６が設けられている。
【００１８】
このサイド不織布６は、本来、前記吸収体４に吸収された体液が側縁部まで達した後、表面側に滲み出すのを防止するために設けられたものであるが、本生理用ナプキン１Ａでは特に、吸収体前後部での吸収面積を確保するために、サイド不織布６の内方縁６ａを前記吸収体４の側縁４ａ形状に合わせたカーブ線としている。すなわち、吸収体４は前後部では吸収面積が広くなっているため、該前後部での吸収性能を上げるために、サイド不織布６の内方縁６ａを吸収体４の側縁４ａ形状に合わせて、長手方向中間部では相対的に縦方向中心側寄り側位置を通り、かつ前後部では相対的に吸収性物品の外側寄り位置を通るカーブ線を含む形状線としている。これによって、吸収体４の前後部では、吸収体中央部における吸収エリア有効幅ＣＢよりも大きな有効幅ＦＢとすることができ、大きな吸収面積を確保できるようになる。なお、前記サイド不織布６と吸収体４との重なり代は、長手方向に沿って必ずしも均一である必要はなく、所定幅範囲、具体的には２〜８mm程度の幅で重なっていればよい。
【００１９】
前記サイド不織布６は、図２に示されるように、少なくとも吸収体４の長手方向中間部では、サイド不織布６を吸収体４に対して実質的に接着せずに（実際には透液性表面シート３が介在）、該サイド不織布６と吸収体４との間に体液封じ込めポケットＰ、Ｐを形成するようにしている。従って、製品状態で前記サイド不織布６は内側斜め上方に向かってある程度の起立を示し、透液性表面シート３上面を伝わって流れる比較的に粘性の高い体液があってもサイド不織布を乗り越えることが無く、前記体液封じ込めポケットＰ、Ｐ内に流入するようになるとともに、大量の体液が吸収体側縁部に浸透し、着用者の各種動作によって吸収体４に圧力が加わって体液の逆戻りがあったとしても前記体液封じ込めポケットＰ、Ｐ内に体液が保留されるため、横方向からの漏れ出しを確実に防止するようになる。
【００２０】
前記サイド不織布６としては、経血やおりもの等が浸透するのを防止する、あるいは肌触り感を高めるなどの目的に応じて、適宜の撥水処理を施した不織布素材を用いて構成されている。かかるサイド不織布６としては、天然繊維、合成繊維または再生繊維などを素材として、適宜の加工法によって形成されたものを使用することができるが、好ましくは坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。また、前記サイド不織布６に代えて、防水フィルムを積層したラミネート不織布や防水フィルムなどを用いることもできる。
【００２１】
前記不透液性裏面シート２の外面にはショーツに対する固定のために適宜の塗布パターンによって粘着層８が形成され、この粘着層８を覆う剥離シート９が設けられている。
【００２２】
ところで、本吸収性物品では、サイド不織布６の内方縁６ａの形状が吸収体４の形状（広義では中央部が狭い形状）に合わせて、少なくとも吸収体中央部で内側に凸のカーブ線となっておればよく、また製品形状は問わない。たとえば、図３に示される生理用ナプキン１Ｂでは、サイド不織布６の内方縁６ａは吸収体中央部で内側に凸のカーブ線を描き、前後部では長手方向に沿って直線状に延びている。また、製品形状はナプキンの幅を長手方向にほぼ等幅とした、所謂まゆ形状のものである。
【００２３】
この生理用ナプキン１Ｂの場合も、少なくとも吸収体中間部において、吸収体４の側縁４ａ形状に合わせてサイド不織布６の内方縁６ａをカーブ線としたため、吸収体４の前後部では吸収有効幅を広く確保できるようになり、前後部分からの漏れを確実に防止するようになるとともに、体液封じ込めポケットＰ、Ｐの形成によって横漏れを確実に防止できるようになる。
【００２４】
【発明の効果】
以上詳説のとおり本発明によれば、表面側両側部にそれぞれ長手方向に沿ってサイド不織布を有する生理用ナプキンにおいて、吸収体の前後部において吸収体の有効面積を広く確保して前後部分からの漏れを防止するとともに、吸収体側部から横漏れを確実に防止することができる。
【図面の簡単な説明】
【図１】  本発明に係る生理用ナプキン１Ａの展開図である。
【図２】  図１のII−II線矢視図である。
【図３】  本発明に係る生理用ナプキンの他例を示す展開図である。
【図４】  従来の生理用ナプキンを示す展開図である。
【符号の説明】
１Ａ・１Ｂ…生理用ナプキン、２…不透液性裏面シート、３…透液性表面シート、４…吸収体、５…クレープ紙、６…サイド不織布
【図１】
0004146603.tif 000002
【図２】
0004146603.tif 000003
【図３】
0004146603.tif 000004
【図４】
0004146603.tif 000005